(57)【要約】【課題】  印刷後に付加された記載をセキュアプリントを用いて検出する。【解決手段】  改竄を検出するたの電子透かしにデータが組込まれたセキュアプリントを印刷媒体に施す印刷装置と、セキュアプリントが施された印刷媒体に対しイメージ解析処理を行って、改竄箇所の検出と共にデータの取得を行う読取り装置とを備えた印刷読取りシステムにおいて、印刷装置は電子透かしに印刷媒体の所定領域の範囲を示す領域範囲データを組込んだセキュアプリントデータを生成してセキュアプリントを印刷媒体に対し施す。読取り装置はセキュアプリントが施された印刷媒体に対しイメージ解析処理を行って、改竄された領域の範囲を示す改竄範囲データと、領域範囲データとを取得して、該改竄範囲データおよび領域範囲データの比較を行い、改竄範囲および領域範囲に重複する領域があるとき、セキュアプリントが施された後の印刷媒体の領域内に付加された記入を検出する。【選択図】        図１
2005260766.tif 000002
【特許請求の範囲】
【請求項１】
改竄を検出するたの電子透かしにデータが組込まれたセキュアプリントを印刷媒体に施した後、該印刷媒体に対しイメージ解析処理を行って、改竄箇所の検出と共に前記データの取得を行うセキュアプリントを用いた印刷読取り方法において、
電子透かしに、前記印刷媒体における所定の領域の範囲を示す領域範囲データを組込んだセキュアプリントデータを生成すること、
生成したセキュアプリントデータを用いて前記印刷媒体に対しセキュアプリントを施すこと、
セキュアプリントが施された印刷媒体に対しイメージ解析処理を行って、改竄された領域の範囲を示す改竄範囲データと、前記領域範囲データとを取得すること、
取得した改竄範囲データおよび領域範囲データの比較を行って、改竄範囲および領域範囲に重複する領域があるとき、セキュアプリントが施された後の前記印刷媒体の領域内において、付加された記入の検出を行うことを特徴とするセキュアプリントを用いた印刷読取り方法。
【請求項２】
前記セキュアプリントデータは、前記領域内に印刷される内容がデータ化された内容データと前記領域範囲データとが対応付けられていることを特徴とする請求項１記載のセキュアプリントを用いて印刷読取り方法。
【請求項３】
改竄を検出するたの電子透かしにデータが組込まれたセキュアプリントを印刷媒体に施す印刷装置と、セキュアプリントが施された印刷媒体に対しイメージ解析処理を行って、改竄箇所の検出と共に前記データの取得を行う読取り装置とを備えた印刷読取りシステムにおいて、
前記印刷装置は、電子透かしに、前記印刷媒体における所定の領域の範囲を示す領域範囲データを組込んだセキュアプリントデータを生成し、該セキュアプリントデータを用いて前記印刷媒体に対しセキュアプリントを施すこと、
前記読取り装置は、セキュアプリントが施された印刷媒体に対しイメージ解析処理を行って、付記された領域の範囲を示す付記範囲データと、前記領域範囲データとを取得して、該付記範囲データおよび領域範囲データの比較を行い、付記範囲および領域範囲に重複する領域があるとき、セキュアプリントが施された後の前記印刷媒体の領域内において、付加された記入を検出することを特徴とする印刷読取りシステム。
【請求項４】
前記印刷装置は、前記領域内に印刷される内容がデータ化された内容データと前記領域範囲データとを対応付け、これらのデータを前記電子透かしに組込んだセキュアプリントデータを生成することを特徴とする請求項３記載の印刷読取りシステム。
【請求項５】
前記読取装置は、前記メージ解析処理を行って前記内容データも取得すると、前記付記範囲と前記領域範囲とが重複しない場合はチェック済みとして前記内容データを有効とし、重複する場合はチェック済みかつ修正ありとして前記内容データを無効とする請求項４記載の印刷読取システム。
【発明の詳細な説明】
【技術分野】
【０００１】
本発明は、セキュアプリントを用いた印刷読取り方法および印刷読取りシステムに関するものである。
【背景技術】
【０００２】
パソコンやワープロなどで文書を作成して得た文書データを用いて、印刷媒体としての用紙に印刷する際、電子透かしを組込むことができる。この電子透かしはセキュアプリントと称されており、非特許文献１に開示されている。
すなわち、パソコンやワープロなどで作成した文書データに対し、電子透かし組み込み過程で、用紙に印刷された状態の２値画像に展開し、改竄検出のための透かし情報を埋め込んだ地紋を作成する。作成した地紋を文字や枠などの文書部分に重ね合わせることで電子透かし入りの文書データを作成する。尚、地紋作成時に、任意のデータを組込むこともできる。このようにして作成した印刷データに基づいて印刷媒体に印刷（セキュアプリント）を施すことで、電子透かしが組込まれた印刷媒体が生成される。
【０００３】
電子透かしの抽出過程では、電子透かしが組込まれた印刷媒体に対し、スキャナでイメージデータの取得を行い、取得したイメージデータを解析することで、電子透かし情報を抽出して電子透かし埋め込み時以降の改竄の検出や電子透かしと共に埋め込んだデータの検出を行う。
【非特許文献１】「沖テクニカルレビュー  ２００１年１月／第１８９号  Ｖｏｌ．６９  Ｎｏ．１  “画像圧縮・電子透かしコンポーネント”  三井靖博  須崎昌彦  藤根俊夫  前野蔵人  著」
【発明の開示】
【発明が解決しようとする課題】
【０００４】
ところが、この電子透かしは、専ら改竄の検出や任意に埋め込んだデータを検出することにしか用いられておらず、それ以外の用途に用いられることはなかった。
ところで、前記したセキュアプリントとは別に、例えば病院や薬局などの医療機関で作成されたレセプトに対し、診療報酬支払い基金でその内容がチェックされる。そしてレセプトに記載された内容を文字認識する際、チェックにより取消線が付加されたり修正が施されたりしたレセプトは、付加された記載と印刷された文字とが重なることから、正しく文字認識を行うことができなかった。従って、チェックにより記載が付加されたレセプトは正しく認識できないことから、このようなレセプトを人手を介して選別する必要があった。このように、所定の印刷が施された後、新たな記載が加えられた印刷媒体などは、多数の人員と労力を用いて識別するしかなく、これが問題となっていた。
【０００５】
従って本発明の目的は、前記した課題に鑑みてなされた発明であり、すなわち印刷後に付加された記載をセキュアプリントを用いて検出する印刷読取り方法および印刷読取りシステムを提供することにある。
【課題を解決するための手段】
【０００６】
本発明は、以上の点を解決するために、次の構成を採用する。
〈構成１〉
改竄を検出するたの電子透かしにデータが組込まれたセキュアプリントを印刷媒体に施した後、該印刷媒体に対しイメージ解析処理を行って、改竄箇所の検出と共に前記データの取得を行うセキュアプリントを用いた印刷読取り方法において、電子透かしに前記印刷媒体における所定の領域の範囲を示す領域範囲データを組込んだセキュアプリントデータを生成すること、生成したセキュアプリントデータを用いて前記印刷媒体に対しセキュアプリントを施すこと、セキュアプリントが施された印刷媒体に対しイメージ解析処理を行って、改竄された領域の範囲を示す改竄範囲データと、前記領域範囲データとを取得すること、取得した改竄範囲データおよび領域範囲データの比較を行って、改竄範囲および領域範囲に重複する領域があるとき、セキュアプリントが施された後の前記印刷媒体の領域内において、付加された記入の検出を行うことを特徴とする。
【０００７】
〈構成２〉
前記セキュアプリントデータは、前記領域内に印刷される内容がデータ化された内容データと前記領域範囲データとが対応付けられていることを特徴とする。
【０００８】
〈構成３〉
改竄を検出するたの電子透かしにデータが組込まれたセキュアプリントを印刷媒体に施す印刷装置と、セキュアプリントが施された印刷媒体に対しイメージ解析処理を行って、改竄箇所の検出と共に前記データの取得を行う読取り装置とを備えた印刷読取りシステムにおいて、前記印刷装置は、電子透かしに前記印刷媒体における所定の領域の範囲を示す領域範囲データを組込んだセキュアプリントデータを生成し、該セキュアプリントデータを用いて前記印刷媒体に対しセキュアプリントを施すこと、前記読取り装置は、セキュアプリントが施された印刷媒体に対しイメージ解析処理を行って、付記された領域の範囲を示す付記範囲データと、前記領域範囲データとを取得して、該付記範囲データおよび領域範囲データの比較を行い、付記範囲および領域範囲に重複する領域があるとき、セキュアプリントが施された後の前記印刷媒体の領域内において、付加された記入を検出することを特徴とする。
【０００９】
〈構成４〉
前記印刷装置は、前記領域内に印刷される内容がデータ化された内容データと前記領域範囲データとを対応付け、これらのデータを前記電子透かしに組込んだセキュアプリントデータを生成する。
〈構成５〉
前記読取装置は、前記メージ解析処理を行って前記内容データも取得すると、前記付記範囲と前記領域範囲とが重複しない場合はチェック済みとして前記内容データを有効とし、重複する場合はチェック済みかつ修正ありとして前記内容データを無効とする。
【発明の効果】
【００１０】
本発明のセキュアプリントを用いた印刷読取り方法によれば、印刷媒体における所定の領域の範囲を示す領域範囲データを電子透かしに組込んだセキュアプリントデータを生成し、該セキュアプリントデータを用いて前記印刷媒体に対しセキュアプリントを施し、セキュアプリントが施された印刷媒体に対しイメージ解析処理を行って、改竄された領域の範囲を示す改竄範囲データおよび領域範囲データとを取得して比較を行い、改竄範囲および領域範囲に重複する領域があるとき、セキュアプリントが施された後の前記印刷媒体の所定の領域内において、付加された記入が在ると判定することから、所定の領域内に付加された記入の検出を行うことができる。これにより、本発明のセキュアプリントを用いた印刷読取り方法によれば、所定の印刷が施された後、新たな記載が加えられた印刷媒体を多数の人員と労力を用いなくとも、効率的に識別することができる。
【発明を実施するための最良の形態】
【００１１】
以下、本発明の実施形態を図を用いて詳細に説明する。本実施例では、印刷媒体として、病院や薬局などの医療機関で作成されるレセプトを例に説明を行う。
【実施例１】
【００１２】
本発明の印刷読取りシステムを示す機能動作ブロック図を図１に示し、該図に沿って説明を行う。
本発明の印刷読取りシステム１０は、印刷装置２０と読取装置３０とで構成されており、印刷装置２０は病院や薬局などの医療機関に設置されており、読取り装置３０は診療報酬支払い基金などに設置されている。
印刷装置２０は、レセプト印刷用のパーソナルコンピュータ２１（以降、単に印刷ＰＣと称す）と、各データ保持部と、前記印刷ＰＣ２１に接続するプリンタ２５とで構成されている。
【００１３】
前記各データ保持部は、レセプトにおける所定の雛型（印刷レイアウト）を示すデータをレセプト雛型データとして保持するレセプト雛型データ保持部２２と、前記雛型に沿ってその内容を示すデータをレセプト内容データとして保持するレセプト内容データ保持部２３と、電子透かしを組込むための電子透かしデータを保持する電子透かしデータ保持部２４とであり、前記各データ保持部２２、２３および２４は印刷ＰＣ２１に接続している。もしくは、前記各データ保持部２２、２３および２４は印刷ＰＣ２１に組込まれている。
【００１４】
印刷ＰＣ２１は、前記した各データ保持部２２、２３および２４を参照して、電子透かしを組込んだ印刷データ（電子透かしが組込まれていることから、以降セキュアプリントデータと称し以降の説明を行う）を生成し、生成したセキュアプリントデータに基づいてプリンタ２５に印刷を行わせる。
【００１５】
セキュアプリントデータに基づいてプリンタ２５で印刷されたレセプト１００には、該レセプトにおけるセキュアプリント１０１（電子透かしが組込まれた範囲）と、例えば診療報酬点数などのレセプト内容とが示されている。ところで、セキュアプリントには、電子透かしと共に、任意に指定した領域の範囲を示すデータが組込まれている。ここで任意に指定する領域を、前記したレセプト内容において、「１２３４５」と記載された領域１０２とする。該領域１０２の範囲は、座標や画素数などで示されており、これを領域範囲データと称して以降の説明を行う。この領域範囲データは、電子透かしに組込まれるべく、電子透かしデータ保持部２４で保持されている。
【００１６】
ここで、電子透かしデータ保持部２４が保持するデータを図２を用いて詳細に説明する。電子透かしデータ保持部２４は、透かしデータと、領域範囲データとで構成されている。
透かしデータは、レセプト１００にセキュアプリント１０１を施すためのデータである。領域範囲データは、レセプト１００において、例えば「１２３４５」と記載された領域１０２において、その領域の範囲を示すデータである。この領域範囲データで指定された領域１０２内において、改竄が加えられたか否かを後述する読取り装置で判定する。
【００１７】
レセプト内容データ保持部２３は、レセプト１００に記載される診療報酬などの点数を示すデータをレセプト内容データとして保持しており、例えば前記したレセプト１００における領域１０２内に示されている「１２３４５」などの具体的な数値、文字および記号などを示す。
【００１８】
レセプト雛型データ保持部２２は、通院や入院などの治療内容や、歯科や調剤薬局などで作成される様々なタイプのレセプトの雛型を示すデータをレセプト雛型データとして保持している。印刷装置１０のオペレータは、レセプト雛型データ保持部２２で保持している様々なレセプトの雛型から、所望の雛型を選択し、選択した雛型でもって、レセプトの作成を行う。
【００１９】
印刷ＰＣ２１は、利用者が選定したレセプトの雛型を示すレセプト雛型データをレセプト雛型データ保持部２２から取得し、取得した雛型で規定される各ブロック（領域）にレセプト内容データ保持部２３から得たレセプト内容データを組込んで印刷データを生成する。その後、印刷ＰＣ２１は、電子透かしデータ保持部２４から透かしデータおよび領域範囲データを取得して、該領域範囲データを前記した透かしデータに組込む。このとき、印刷ＰＣ２１は、更にレセプト内容データ保持部２３からレセプト内容データを取得し、該レセプト内容データを前記し透かしデータに組込む。これにより、透かしデータには、領域範囲データと共にレセプト内容データも組込まれる。組込まれるレセプト内容データは、領域１０２内に示されている内容の他に、レセプト全体に示されている内容でもよい。
【００２０】
その後ＰＣは、領域データおよびレセプト内容データが組込まれた電子透かしデータを印刷データに組込んだセキュアプリントデータの生成を行う。
セキュアプリントデータを生成した印刷ＰＣ２１は、セキュアプリントに基づいてプリンタ２５に印刷を行わせる。このようにして、セキュアプリントが施されたレセプト１００がプリンタで印刷される。
【００２１】
ここで、再び図１に戻って、プリンタ２５で印刷されたレセプト１００は、診療報酬支払い基金に送られると、該診療報酬支払い基金の係員１２０によりチェックが行なわれる。このチェックで係員１２０は、レセプト１００の所定の領域１０２内に、取消線を追加したり修正を施したりして、適宜記載の追加を行う。ところで、記載が追加される所定の領域とは、領域範囲データで示される領域である。従って、係員１２０は、レセプト１００をチェックして必要に応じて修正を行うとき、領域範囲データで示される領域内に修正のための記載を追加する。
【００２２】
係員１２０は、チェックを終えたレセプト１００に対し、該レセプト１００の所定の位置にチェックマーク１２１を付加する。後述する読取装置は、追記されたチェックマーク１２１を検出することで、係員１２０によるチェックが行われたレセプト１００であるか否かを判定する。このチェックマーク１２１を読取装置で検出すべく、チェックマーク１２１が追記される領域範囲を示すデータも透かしデータに組込まれている。
【００２３】
次に、領域範囲データで示される領域１０２内に「１２３４５」と示されたレセプト１００が印刷装置１０で印刷された後、この領域１０２内に何も修正が施されなかった（何も記載が追加されなかった）レセプト１００を読取る読取装置３０の説明を行う。
【００２４】
係員１２０によりチェックされたレセプト１００は、読取り装置３０でセキュアプリントに関する処理を行う。
読取り装置３０は、レセプト読取り用のパーソナルコンピュータ３１（以降、単に読取りＰＣと称す）と、該読取りＰＣ３１に接続するスキャナ３２とを備える。
読取りＰＣ３１にはセキュアプリント認識処理部が組込まれており、該セキュアプリント認識処理部は、スキャナ３２で取得して得たレセプト１００のイメージデータに基づいて、当該レセプトに記載されている内容を認識すると共に、印刷装置２０で印刷されたレセプト１００に対し記載が追加されたか否かを判定する。この処理により、読み取りＰＣ３１は、読取り内容として「１２３４５」、付加記載の有無「無し」およびレセプト１００のチェック状態として「チェック済み」を処理結果４０として取得する。
【００２５】
次に、セキュアプリント認識処理部の動作を図３のフローチャートに沿って説明する。
レセプト１００のイメージデータがスキャナ３２で取得されると、セキュアプリント認識処理部は、従来から知られた方法により、イメージデータからレセプトに施されたセキュアプリントの抽出を行う。このセキュアプリントの抽出とは、セキュアプリントを施すのに先立ち、透かしデータに組込んだレセプト内容データおよび領域範囲データの抽出と、更に後述する改竄範囲データとを抽出する処理である。
【００２６】
改竄範囲データとは、レセプト１００において、改竄された箇所を示す所定の領域範囲を示すデータであり、イメージデータを平面に展開したときの所定位置からの画素数や座標などで示されている。この改竄範囲データは、公知技術を用いて読取り装置で取得される。尚、ここで言う改竄とは、本実施例における前記チェックおよび付加記載を含み、例えば図１のチェック１２１の部分が改竄範囲として検出される。
【００２７】
改竄範囲データ、領域範囲データおよびレセプト内容データを取得したセキュアプリント認識処理部は、レセプト内容データとし「１２３４５」を出力すると共に、領域範囲データに示される領域と、改竄範囲データに示される領域とが重複するか否かを判定する。
【００２８】
例えば、図１におけるレセプト１００において、領域範囲データに示される領域１０２には、チェックによる記載が付加されてないことから、改竄された箇所を示す改竄範囲データにおいて、領域１０２内の改竄を示すことはない。すなわち、領域１０２内において、付加記載による改竄が加えられていないことから、取得した改竄範囲データに示される領域と、領域範囲データに示される領域とが重複することはない。
【００２９】
前記した判定により、領域が重複しないと判定したセキュアプリント認識処理部は、「付加記載無し」を認識結果として出力する。
このとき、セキュアプリント認識処理部は、チェックマーク１２１が付加されているか否かも検出する。チェックマークの検出も前記した付加記載の検出と同様であり、セキュアプリントの抽出でチェックマークの検出範囲を示すデータを取得して、該データに示される領域と、領域範囲データに示される領域とが重複するか否かを判定している。この判定で領域が重複しないと判断したセキュアプリント認識処理部は、「チェックマーク検出」を認識結果として出力する。これにより、係員１２０のチェックを受けたレセプト１００であることが判明する。この結果に基づいて、図示しない選別機は、係員１２０のチェックを受けたレセプト１００の選別を行う。
【００３０】
次に、レセプト内容を示すデータに修正マーク１０３が加えられた図４に示すレセプト１１０を読取るべく、読取装置３０の動作を説明する。このレセプト１００の修正マーク１０３は、印刷装置１００で係員１２０がレセプトを印刷した後、係員１２０がレセプト内容を示す領域１０２内に付加した印である。この印は、図４においてチェックマークで示されているが、この他に取消線や、訂正記入などでもよい。
【００３１】
読取装置３０は、スキャナ３２で取得して得たレセプト１１０のイメージデータに基づいて、当該レセプトに記載されている内容を認識すると共に、印刷装置２０で印刷されたレセプト１１０に対し記載が追加されたか否かを判定する。
すなわち、読取装置３０のセキュアプリント認識処理部は、取得したイメージデータからレセプトに施されたセキュアプリントの抽出を行って、レセプト内容データ、領域範囲データおよび改竄範囲データの抽出を行う。
【００３２】
その後、セキュアプリント認識処理部は、領域範囲データに示される領域１０２と、改竄範囲データに示される領域が重複するか否か判定する。この判定で、領域範囲データに示される領域１０２と改竄範囲データに示される領域とが重複すると判断したセキュアプリント認識処理部は、領域１０２内に付加された記載があることを認識結果として出力する。
【００３３】
また、セキュアプリント認識処理部は、領域１０２内に修正マーク１０３が付加記載されていても、セキュアプリントに組込まれたレセプト内容データを抽出することで、領域１０２に示された内容を誤認識することなく、「１２３４５」を正確に取得する。このとき、セキュアプリント認識処理部は、チェック済みのレセプト１１０であるか否かの判定も行う。
【００３４】
前記した認識処理で読取装置３０は、認識内容として「１２３４５」、付加記載の有無「有り」およびレセプト１００のチェック状態として「チェック済み」を処理結果４１として取得する。尚、この場合、印刷された記載に付加記載があるので「修正あり」としてレセプト内容データを無効にして、修正オペレータに修正又は確認を行わせることが望ましい。
【００３５】
前記したように、本発明の印刷読取りシステム１０によれば、レセプト内容データと、レレセプトにおける所定の領域の範囲を示す領域範囲データとを電子透かしに組込んだセキュアプリントデータを生成してセキュアプリント１０１をレセプト１００に施し、セキュアプリント１０１が施されたレセプト１００のイメージデータを取得して、該イメージデータからセキュアプリントの抽出を行うことで、改竄された領域の範囲を示す改竄範囲データと、領域範囲データと、レセプト内容データとを取得する。そして、レセプト内容データを読取り結果として出力すると共に、改竄範囲データが示す改竄範囲と、領域範囲データが示す領域範囲が重複するとき、セキュアプリントが施された後の前記印刷媒体の所定の領域内において、付加された記載が在ると判定する。これにより、本発明の印刷読取りシステム１０によれば、レセプトに印刷された内容を認識すると共に、セキュアプリントを施して印刷されたレセプトに対し、記載が付加されたか否か判定することができ、該判定結果に基づいて、チェック済みのレセプトであるか否かを多数の人員と労力を用いなくとも、効率的に識別することができる。
【産業上の利用可能性】
【００３６】
実施例ではレセプトを例に説明を行なったが、これに限る必要はなく、例えば所定の印刷が施された印刷媒体に対し、該印刷媒体の所定の領域内に記載が付加されたか否かを判断する際、本発明の適用が考えられる。
【図面の簡単な説明】
【００３７】
【図１】本発明の印刷読取りシステムの機能ブロック図である。
【図２】電子透かしデータ保持部で保持するデータ構成を示す図である。
【図３】セキュアプリント処理部の動作を示すフローチャートである。
【図４】修正マークが付加されたレセプトとその読取り結果を示す図である。
【符号の説明】
【００３８】
１０  印刷読取りシステム
２０  印刷装置
２１  印刷ＰＣ
２２  レセプト雛型データ保持部
２３  レセプト内容データ保持部
２４  電子透かしデータ保持部
２５  プリンタ
３０  読取装置
３１  読取りＰＣ
３２  スキャナ
４０  読取り結果
１００  レセプト
１０１  セキュアプリント
１０２  レセプト内容データに基づいた記載が行なわれる領域
１２０  係員
１２１  チェックマーク
【図１】
2005260766.tif 000003
【図２】
2005260766.tif 000004
【図３】
2005260766.tif 000005
【図４】
2005260766.tif 000006